(57)【特許請求の範囲】
【請求項１】
人の両足を載せ得る程度へだてて縦方向で平行状に金属製の手摺２を配置し、前記２本の手摺２間を人の足が上がる高さに金属製の踏子３を平行状に配置し、その両端部を固着した梯子ユニット１を複数個重ね、手摺２の上部には外方に向けてストッパー４を突出させ、手摺２の下部には他のユニット１を重ねた際案内できるように、Ｌ字状断面の板製のガイド５を固着し、前記ガイド５は他のユニット１のストッパー４を係合させて他のユニット１を吊り下げ得るように形成し、ブラケット６を外壁面にアンカーボルト５２で固着し、一番内側のユニット１の上部のストッパー４をブラケット６に枢着し、発給レバー７をブラケット６にピン５１を中心に回動自在に枢着し、発給レバー７の中間部から係合レバー８を突出させて係合レバー８の先端に一番外側のユニット１の踏子３を支持させてなる緊急脱出用梯子。
【請求項２】
人の両足を載せ得る程度へだてて縦方向で平行状に金属製の手摺４２を配置し、前記２本の手摺４２間を人の足が上がる高さに金属製の踏子３を平行状に配置し、その両端部を固着した梯子ユニット４１を複数個重ね、複数個のユニット４１の上下端に蝶番４６を介在させて連結し、折り畳んで庇枠４４内に収納し、最上段のユニット４１の上部を庇枠４４に架設した吊棒４７に回動自在に設け、庇枠４４に摺動自在に設けた支持部材に最下段のユニット４１を載置させ、緊急発生時には、窓４８から支持部材を引き抜きユニット４１の折り畳み状態を解除し、ユニット４１を下降させて使用するようにした緊急脱出用梯子。
【発明の詳細な説明】
【０００１】
【発明の属する技術分野】
本発明は、緊急脱出用梯子に係わり、特に、火災などが発生した際、建物から簡単で、且つ安全に避難できる緊急脱出用梯子に関するものである。
【０００２】
【従来の技術】
従来から、建物で火災などが発生した際の緊急避難用として縄梯子が備えられている。
【０００３】
【発明が解決しようとする課題】
ところで、緊急避難用として備えられている縄梯子は、いざ緊急事態になった場合、窓から下ろして使用しなければならないが、縄でできているため、使用しにくい。
【０００４】
また、緊急避難用の縄梯子は、窓の近辺に収容されているが、緊急事態発生時には発見しにくく、使用されない場合がある。
【０００５】
さらに、緊急避難用の縄梯子は、人が降りる際、足を踏子に載せると踏子が足を包み不安定で、安定して載せることができず、安全上好ましくない。
【０００６】
さらにまた、緊急避難用の縄梯子は繰り返し使用することは困難である。
【０００７】
【課題を解決するための手段】
そこで、本発明は、上記の事情に鑑み、操作が簡単で、設置場所が容易に分かって直ちに使用でき、足元が安定して使用できて安全で、繰り返し使用ができるようにすべく、人の両足を載せ得る程度へだてて縦方向で平行状に金属製の手摺２を配置し、前記２本の手摺２間を人の足が上がる高さに金属製の踏子３を平行状に配置し、その両端部を固着した梯子ユニット１を複数個重ね、手摺２の上部には外方に向けてストッパー４を突出させ、手摺２の下部には他のユニット１を重ねた際案内できるように、Ｌ字状断面の板製のガイド５を固着し、前記ガイド５は他のユニット１のストッパー４を係合させて他のユニット１を吊り下げ得るように形成し、ブラケット６を外壁面にアンカーボルト５２で固着し、一番内側のユニット１の上部のストッパー４をブラケット６に枢着し、発給レバー７をブラケット６にピン５１を中心に回動自在に枢着し、発給レバー７の中間部から係合レバー８を突出させて係合レバー８の先端に一番外側のユニット１の踏子３を支持させてなる緊急脱出用梯子とした。
【０００８】
また、本発明は、設置場所が容易に分かって直ちに使用でき、足元が安定して使用できて安全で、繰り返し使用ができるようにすべく、人の両足を載せ得る程度へだてて縦方向で平行状に金属製の手摺４２を配置し、前記２本の手摺４２間を人の足が上がる高さに金属製の踏子３を平行状に配置し、その両端部を固着した梯子ユニット４１を複数個重ね、複数個のユニット４１の上下端に蝶番４６を介在させて連結し、折り畳んで庇枠４４内に収納し、最上段のユニット４１の上部を庇枠４４に架設した吊棒４７に回動自在に設け、庇枠４４に摺動自在に設けた支持部材に最下段のユニット４１を載置させ、緊急発生時には、窓４８から支持部材を引き抜きユニット４１の折り畳み状態を解除し、ユニット４１を下降させて使用するようにした緊急脱出用梯子とした。
【０００９】
【発明の実施の態様】
本発明を添付する図面に示す具体的実施例に基づいて、以下詳細に説明する。
【００１０】
図１は、緊急脱出用梯子を建物の外壁面に取付けた例を示す。本実施例の場合、３個の緊急脱出用梯子ユニット１を連結して収納している。
本発明は、具体的には、人の両足を載せ得る程度へだてて縦方向で平行状に金属製の手摺２を配置し、前記２本の手摺２間を人の足が上がる高さに金属製の踏子３を平行状に配置し、その両端部を固着した梯子ユニット１を複数個重ね、手摺２の上部には外方に向けてストッパー４を突出させ、手摺２の下部には他のユニット１を重ねた際案内できるように、Ｌ字状断面の板製のガイド５を固着し、前記ガイド５は他のユニット１のストッパー４を係合させて他のユニット１を吊り下げ得るように形成し、ブラケット６を外壁面にアンカーボルト５２で固着し、一番内側のユニット１の上部のストッパー４をブラケット６に枢着し、発給レバー７をブラケット６にピン５１を中心に回動自在に枢着し、発給レバー７の中間部から係合レバー８を突出させて係合レバー８の先端に一番外側のユニット１の踏子３を支持させてなる緊急脱出用梯子とした。
【００１１】
各緊急脱出用梯子ユニット１は、図２に詳細を示す。人の両足を載せ得る程度へだてて縦方向で平行状に金属製の手摺２を配置し、前記２本の手摺２間を人の足が上がる高さに金属製の踏子３を平行状に配置し、その両端部を固着する。手摺２の上部には外方に向けてストッパー４を突出させ、手摺２の下部には他のユニット１を重ねた際案内できるように、Ｌ字状断面の板製のガイド５を固着する。また、このガイド５は他のユニット１のストッパー４を係合させて他のユニット１を吊り下げ得るようにする。
【００１２】
なお、手摺２、踏子３をアルミ製の押出形材で製作すると、軽量である上に十分な強度を有する。
【００１３】
図１の場合は、ユニット１を３個重ねたもので、何れもガイド５で下のユニット１を吊り下げ得るようにする。
【００１４】
ブラケット６を外壁面にアンカーボルト５２で固着し、一番内側のユニット１（外壁面に近いユニット１）は、その上部のストッパー４をブラケット６に枢着する。また発給レバー７はブラケット６にピン５１を中心に回動自在に枢着し、その中間部から係合レバー８を突出させて係合レバー８の先端に一番外側のユニット１の踏子３を支持させる。ここで、発給レバー８を、ピン５１を中心に右方向に回動させると係合レバー８の踏子３の支持が外れ、図で破線で示すように、ユニット１が下降する。最下端のユニット１の下端は、地上にいる人の頭部より上に位置させて地上にいる人の安全も考慮する。
【００１５】
この緊急脱出用梯子は、通常は化粧カバー９で覆って景観を維持させる。
【００１６】
この緊急脱出用梯子は、火災などの緊急発生時には、人が窓１０から化粧カバー９を開けて発給レバー７を回動させてユニット１を下降させて使用する。
【００１７】
この緊急脱出用梯子は、緊急時でも操作が簡単で、設置場所が容易に判明し、しかも踏子３は金属製で安定して使用でき安全で、繰り返し使用が可能な耐久性がある。
【００１８】
図３、図４、図５に他の実施例を示す。
【００１９】
図３、図４および図５では、手摺１２、２２、３２として、ロープ、ワイヤーあるいはチェーンを用いた例を示し、手摺１２・１２、手摺２２・２２、手摺３２・３２間を金属製の踏子３の両端を所定間隔へだてて固着する。
【００２０】
図３では、手摺１２の上端にそれぞれ外方に向けてストッパー４を固着する。また、手摺１２の下端に押出形材のガイド１５を固着する。この図３に示すユニット１１も、図２に示すユニット１と同様な使用の仕方をする。図３のユニット１１の手摺１２は、図２のユニット１と異なり、手摺１２が可撓性を有する。
【００２１】
図４では、手摺２２の上下端にそれぞれ挿通孔２３を穿設した継手２４を固着し、図２に示すユニット１と同様な使用の仕方をする。図４のユニット２１の手摺２２は、図２のユニット１と異なり、手摺２２が可撓性を有する。
【００２２】
図５では、手摺３２の下端に金属製の円筒３３を固着する。図５のユニット３１は、前述の図２、図３、図４のユニット１・１１・２１と異なり捲き取り方式で使用する。
【００２３】
本発明は、具体的には、人の両足を載せ得る程度へだてて縦方向で平行状に金属製の手摺４２を配置し、前記２本の手摺４２間を人の足が上がる高さに金属製の踏子３を平行状に配置し、その両端部を固着した梯子ユニット４１を複数個重ね、複数個のユニット４１の上下端に蝶番４６を介在させて連結し、折り畳んで庇枠４４内に収納し、最上段のユニット４１の上部を庇枠４４に架設した吊棒４７に回動自在に設け、庇枠４４に摺動自在に設けた支持部材に最下段のユニット４１を載置させ、緊急発生時には、窓４８から支持部材を引き抜きユニット４１の折り畳み状態を解除し、ユニット４１を下降させて使用するようにした緊急脱出用梯子である。
上記では外壁面に取付ける壁付緊急脱出用梯子について述べたが、次に庇に取付ける庇付緊急脱出用梯子について、図６、図７により説明する。なお、符号４３は庇屋根、符号４４は庇枠、符号４５は庇天井である。
【００２４】
図６では、庇４０内にユニット４１を折り畳んで収容する。
【００２５】
ユニット４１は、図７に示すように、人の両足を載せ得る程度へだてて縦方向で平行状に金属製の手摺４２を配置し、前記２本の手摺４２間を人の足が上がる高さに金属製の踏子３を平行状に配置し、その両端部を固着する。
【００２６】
複数個のユニット４１（図６では３個）は、それぞれの上下端に蝶番４６を介在させて連結し、折り畳んで庇枠４４内に収納し、最上段のユニット４１の上部を庇枠４４に架設した吊棒４７に回動自在に設ける。庇枠４４に摺動自在に設けた支持部材（図示せず）などに最下段のユニット４１を載置させておく。
【００２７】
この緊急脱出用梯子は、火災などの緊急発生時には、人が窓４８から支持部材を引き抜きなどしてユニット４１の折り畳み状態を解除し、ユニット４１を下降させて使用する。
【００２８】
この緊急脱出用梯子は、緊急時でも操作が簡単で、設置場所は容易に判明し、しかも踏子は金属製で安定して使用でき安全で、繰り返し使用が可能で耐久性がある。
【００２９】
【発明の効果】
本発明は、上述のように、人の両足を載せ得る程度へだてて縦方向で平行状に金属製の手摺２を配置し、前記２本の手摺２間を人の足が上がる高さに金属製の踏子３を平行状に配置し、その両端部を固着した梯子ユニット１を複数個重ね、手摺２の上部には外方に向けてストッパー４を突出させ、手摺２の下部には他のユニット１を重ねた際案内できるように、Ｌ字状断面の板製のガイド５を固着し、前記ガイド５は他のユニット１のストッパー４を係合させて他のユニット１を吊り下げ得るように形成し、ブラケット６を外壁面にアンカーボルト５２で固着し、一番内側のユニット１の上部のストッパー４をブラケット６に枢着し、発給レバー７をブラケット６にピン５１を中心に回動自在に枢着し、発給レバー７の中間部から係合レバー８を突出させて係合レバー８の先端に一番外側のユニット１の踏子３を支持させてなる緊急脱出用梯子であるので、操作が簡単で、設置場所が容易に分かって直ちに使用でき、足元が安定して使用できるので安全で、耐久性があり繰り返し使用ができる。
【００３０】
また、本発明は、人の両足を載せ得る程度へだてて縦方向で平行状に金属製の手摺４２を配置し、前記２本の手摺４２間を人の足が上がる高さに金属製の踏子３を平行状に配置し、その両端部を固着した梯子ユニット４１を複数個重ね、複数個のユニット４１の上下端に蝶番４６を介在させて連結し、折り畳んで庇枠４４内に収納し、最上段のユニット４１の上部を庇枠４４に架設した吊棒４７に回動自在に設け、庇枠４４に摺動自在に設けた支持部材に最下段のユニット４１を載置させ、緊急発生時には、窓４８から支持部材を引き抜きユニット４１の折り畳み状態を解除し、ユニット４１を下降させて使用するようにした緊急脱出用梯子であるので、設置場所が容易に分かって直ちに使用でき、足元が安定して使用できて安全で、繰り返し使用ができる。
【図面の簡単な説明】
【図１】  本発明の緊急脱出用梯子の斜視図である。
【図２】  本発明の緊急脱出用梯子の斜視図である。
【図３】  本発明の緊急脱出用梯子の他の例の斜視図である。
【図４】  本発明の緊急脱出用梯子の別の例の斜視図である。
【図５】  本発明の緊急脱出用梯子の別の例の斜視図である。
【図６】  本発明の緊急脱出用梯子の斜視図である。
【図７】  本発明の緊急脱出用梯子の斜視図である。
【符号の説明】
２・１２・３２・４２…手摺
３…踏子
【図１】
0003932258.tif 000002
【図２】
0003932258.tif 000003
【図３】
0003932258.tif 000004
【図４】
0003932258.tif 000005
【図５】
0003932258.tif 000006
【図６】
0003932258.tif 000007
【図７】
0003932258.tif 000008